(57)【要約】      （修正有）【課題】美観がよく、交換に便利であり、構造強度が良好な壁／床タイルの構造アッセンブリを提供する。【解決手段】壁／床タイルの構造アッセンブリは、片状態様を呈し、且つ表面に装飾態様を形成した構造である壁／床タイル本体と、前記壁／床タイル本体の端辺に定位されるトリムを含み、該トリムが片状片弧態様の主体を含み、且つ該主体の２つの端辺に内向きに傾斜する連接片を形成し、前記のトリム内部に弧状態様の収容空間を形成し、前記トリムの断面が扇形状の態様を呈し、前記の収容空間が適時セメントを充填でき２つの平面が形成する接触角箇所に定位でき、実心の態様を呈し、その構造を強化し、衝撃を受けた後に陥没または破裂等の状況が発生することを防止することを特徴とする。【選択図】図６
0003142987.tif 000002
【実用新案登録請求の範囲】
【請求項１】
片状態様を呈し、且つ表面に装飾態様を形成した構造である壁／床タイル本体と、壁／床タイル本体の端辺に定位されるトリムを含み、該トリムが片状円弧態様の主体を含み、且つ該主体の２つの端辺が内向きに傾斜する連接片を形成し、内部に弧状態様の収容空間を形成する壁／床タイルの構造アッセンブリ。
【請求項２】
前記壁／床タイル本体とトリムが金属材質である請求項１記載の壁／床タイルの構造アッセンブリ。
【請求項３】
前記壁／床タイル本体とトリムがプラスチック材質である請求項１記載の壁／床タイルの構造アッセンブリ。
【請求項４】
前記トリムの表面が装飾態様を形成できる構造である請求項１記載の壁／床タイルの構造アッセンブリ。
【請求項５】
前記トリムが玉縁装飾態様を形成する構造である請求項４記載の壁／床タイルの構造アッセンブリ。
【請求項６】
前記壁／床タイル本体が外凸装飾態様を形成できる玉縁構造である請求項１記載の壁／床タイルの構造アッセンブリ。
【請求項７】
前記壁／床タイル本体が内凹装飾態様を形成できる玉縁構造である請求項１記載の壁／床タイルの構造アッセンブリ。
【請求項８】
前記玉縁末端が内向き湾曲の態様を呈し、内部に収容溝を形成し、且つ該収容溝内部に発砲スチロールを充填することができる請求項７記載の壁／床タイルの構造アッセンブリ。
【考案の詳細な説明】
【技術分野】
【０００１】
本考案は、壁／床タイルの構造アッセンブリに関し、特に、美観を有し、取替えに便利であり、且つ構造強度が良好である壁／床タイルの構造アッセンブリに関する。
【背景技術】
【０００２】
現在の市場において、建築装飾に用いる壁／床タイルの主な材質は、陶質の壁／床タイル、石質の壁／床タイルまたは瓦質壁／床タイルに分けることができ、且つ主に、粘土、長石、陶石、石英、葉蝋石、石灰石またはアルミ石等の成分から組成され、順に、原料、成形、上薬、焼成のプロセスに従い、現在の市場に見られる壁／床タイルが完成される。
【０００３】
しかしながら、作業員が施工過程において、壁面、地面に敷設する壁／床タイル面を平らにするために、必要時、敲いて壁面、地面を平らにする必要があり、敲く過程において、壁／床タイルに容易に亀裂または断裂が生じる。作業員が運搬または壁／床タイルを搭載する過程中、往々にして衝突または圧力にいり大量の壁／床タイルが砕けることが起こり、且つ装飾過程中、２つの平面が形成する接触角箇所において、接触角箇所が鋭利過ぎることを回避し、消費者の安全を確保するため、および建築物の美観を壊すことを避けるため、接触角箇所にトリムを使用し、その修飾が円滑な曲面の態様を呈するようにする。
【０００４】
図１および図２において、図１は、従来のトリムの立体説明図であり、図２は、図１の従来のトリムのＤ−Ｄ断面説明図である。
【０００５】
現在市場で使用されるトリム５は、外観形状が図１に開示される構造と近似し、それは、片状円弧態様の主体５０を含み、且つ該主体５０の２つの端辺が相対して内向き傾斜し、約９０度の角度を成す連結片５２を形成し、その内部に弧状の態様の収容空間５２を形成し、前記の連結片５１の自由端に固定片５３を延伸形成し、該固定片５３は、敷設する壁／床タイルにより壁／地面のセメント中に押し込まれ定位され、２つの平面が形成する接触角が円滑な曲面の態様を呈するようにする。
【０００６】
しかしながら、現在市場で使用されるトリムは、金属材質およびプラスチック材質の二種を含み、金属材質のトリムかプラスチック材質のトリムかを問わず、トリムが衝撃を受けた後、陥没または破裂の状況が発生し、補修交換時、そのうちの１つの連結片の自由端が延伸する固定片は、敷設される壁／床タイルに壁／地面のセメント中に押し込まれ定位され、陥没または破裂したトリムを取り外し交換する時、同時に隣接する壁／床タイルも剥がれ、交換時に不便を生じ、且つ前記の連結片の自由端が固定片を延伸形成し、材料コストの浪費となる。
【０００７】
上記従来の構造に鑑みて、以下の欠点がある：
１． 従来の壁／床タイルの材質は、粘土、長石、陶石、石英、葉蝋石、石灰石またはアルミ石等の成分により組成され、作業員が敲き、運搬または搭載の過程中に、容易に衝撃により壁／床タイルが損傷する。
２． 従来のトリムは、衝撃を受けた後、陥没または破裂の状況を発生し、且つ前期トリムの連結片の自由端が固定片を延伸形成し、コストが高くなる。
３． 従来の壁／地面装飾時、トリムを定位した後、壁／床タイルをその上に貼り付けなければならず、選択順序上の誤りが発生し易く、不便である。
【特許文献１】特開２０００−８０７４１号公報
【考案の開示】
【考案が解決しようとする課題】
【０００８】
本考案の目的は、美観がよく、交換に便利であり、構造強度が良好な壁／床タイルの構造アッセンブリを提供することを目的とする。
【課題を解決するための手段】
【０００９】
本考案の壁／床タイルの構造アッセンブリは、片状態様を呈し、且つ表面に装飾態様を形成した構造である壁／床タイル本体と、前記壁／床タイル本体の端辺に定位されるトリムを含み、該トリムが片状片弧態様の主体を含み、且つ該主体の２つの端辺に内向きに傾斜する連接片を形成し、前記のトリム内部に弧状態様の収容空間を形成し、前記トリムの断面が扇形状の態様を呈し、前記の収容空間が適時セメントを充填でき２つの平面が形成する接触角箇所に定位でき、実心の態様を呈し、その構造を強化し、衝撃を受けた後に陥没または破裂等の状況が発生することを防止することを特徴とする。
【考案の効果】
【００１０】
本考案の壁／床タイルの構造アッセンブリは、以下の利点を有する：
（１）本考案のトリム構造は簡単であり、用いる材料の量は、従来よりも節約でき、原料コストを効率的に低減することができる。
（２）本考案の接触角箇所の装飾は、トリムと壁／床タイルの敷設順序を分からなければならない問題がなく、選択順序の誤りがなく、迅速に装飾できる。
（３）本考案のトリムは、取替えが容易であり、交換時、隣接する壁／床タイルを取り外す必要がなく、交換に便利である。
（４）本考案のトリムは、構造強度が良好であり、その内部の弧状態様の収容空間は、適時セメントを充填でき、実心態様を呈し、構造強度が良好である。
（５）本考案の金属壁／床タイル表面は、エッチング、電気鍍金、化学変色、圧力ローラーまたは蛍光の処理によって、平面、立体または蛍光等の装飾模様設計の構造を形成し、消費者に多元化した選択を提供することができる。
（６）本考案の壁／床タイル構造アッセンブリがプラスチック材質を利用する時、規格（長さ。厚さ）の変化の柔軟性が大きく、消費者および市場の需要に合わせ、射出成型することができる。
（７）本考案の実施例の金属の壁／床タイル内部に収容溝を形成し、該収容溝中に発砲スチロールを充填し、防音、防熱効果を有する。
【考案を実施するための最良の形態】
【００１１】
本考案の目的を達成する為に採用する技術手段とその効果に関し、図面に合わせて以下に説明する。
【００１２】
先ず、図３、図４、図５において、図３は、本考案の壁／床タイルの立体説明図であり、図４は、本考案のトリムの立体説明図であり、図５は、図４のトリムのＡ−Ａ断面説明図である。
【００１３】
図に示すように、本考案の壁／床タイルの構造アッセンブリは、片状態様を呈し、且つ表面が表面処理により模様１０等の装飾態様を形成した構造である壁／床タイル本体１と、前記壁／床タイル本体１の端辺に定位されるトリム２を含み、該トリム２が片状片弧態様の主体２０を含み、且つ該主体２０の２つの端辺に内向きに傾斜する連接片２１を形成し、前記のトリム２内部に弧状態様の収容空間２２を形成し、前記トリム２の断面が扇形状の態様を呈することを特徴とする。前記の壁／床タイル本体１とトリム２は金属材質であることができ、例えば、漆板等のその他の同等の効果を有する材質、またはプラスチック材質であることができ、金属材質またはプラスチック材質であるかを問わず、いずれも衝撃を受けた後、亀裂、断裂または破裂等の状況が発生することがない。
【００１４】
図６、図７において、図６は、本考案の第１実施例の立体説明図であり、図７は、本考案の第１実施例のＢ−Ｂ断面説明図である。
【００１５】
図に示すように、本考案の壁／床タイル本体１およびトリム２は、表面処理によって、装飾態様を形成した構造であり、前記の表面処理は、エッチング、電気鍍金、化学発色、蛍光またはプレスローラー等の処理であることができる。プレスローラー、エッチング処理によって、前記壁／床タイル本体１は、模様１０および装飾態様の外凸玉縁１１を形成した構造であり、該玉縁１１は、前記壁／床タイル本体１の構造強度を向上させることができ、該壁／床タイル本体１は、亀裂または破裂が起こりにくく、前記の模様１０は、壁／床タイル本体１の美観を増加し、装飾面３をより華やかにする。前記のトリム２は、２つの壁／床タイル１は、２つの壁／床タイル本体１が形成する接触角箇所に敷設定位され、該接触角箇所を円滑な曲面を呈する態様に修飾し、該トリム２の表面は、玉縁２３または模様２４装飾態様を形成した構造であり、前記トリム２は、適時、セメント３０によってトリム２内部に形成される弧状態様の収容空間２２中に充填でき、該収容空間２２中のセメント３０を装飾面３と一体に連ねて定位し、且つ該収容空間２２に実心態様を呈するようにし、衝撃を受けた後、陥没または破裂の状況が発生しないようにし、長時間、建築物の美観を維持することができる。
【００１６】
図８は、本考案の第２実施例の立体説明図である。
図に示すように、本考案の壁／床タイル本体１は、表面処理によって模様１０および装飾態様の内凹玉縁１１を形成できる構造であり、且つ該内凹玉縁１１末端は、内向き湾曲の態様を呈し、内部に収容溝１２を形成し、且つ該収容溝１２内部に防音、防熱効果の発砲スチロール４を充填することができる。そのうち、前記壁／床タイル本体１は、玉縁１１を内凹すること、および末端に内向き湾曲の態様を定位することは、いずれもその構造強度を増加でき、且つ壁／床タイル本体１の装飾面３上への定位を強化することができる。
【図面の簡単な説明】
【００１７】
【図１】従来のトリムの立体説明図である。
【図２】図１の従来のトリムのＤ−Ｄ断面説明図である。
【図３】本考案の壁／床タイル本体の立体説明図である。
【図４】本考案のトリムの立体説明図である。
【図５】図４のトリムのＡ−Ａ断面説明図である。
【図６】本考案の第１実施例の立体説明図である。
【図７】本考案の第１実施例のＢ−Ｂ断面説明図である。
【図８】本考案の第２実施例の立体説明図である。
【符号の説明】
【００１８】
５  トリム
５０  主体
５１  連結片
５２  収容空間
５３  固定片
１  壁／床タイル本体
１０  模様
１１  玉縁
１２  収容溝
２  トリム
２０  主体
２１  連結片
２２  収容空間
２３  玉縁
２４  模様
３  装飾面
３０  セメント
４  発砲スチロール
【図１】
0003142987.tif 000003
【図２】
0003142987.tif 000004
【図３】
0003142987.tif 000005
【図４】
0003142987.tif 000006
【図５】
0003142987.tif 000007
【図６】
0003142987.tif 000008
【図７】
0003142987.tif 000009
【図８】
0003142987.tif 000010